(57)【要約】      （修正有）【課題】第一耐力壁と第二耐力壁の間の相互作用を向上することができるプレキャスト耐力壁の連接構造を提供する。【解決手段】第一プレキャスト耐力壁２００の第一側端面２１０は、耐力壁内から外に突き出した第一コ字形構造鉄筋４１０を含み、第一プレキャスト耐力壁２００に対応する第二プレキャスト耐力壁３００の第二側端面３１０は、耐力壁内から外に突き出した第二コ字形構造鉄筋４３０を含み、この相対する第一及び第二コ字形構造鉄筋は、横向きの応力に対する粘り強さを備えたプレキャスト耐力壁の連接構造を組成する。【選択図】図２ａ
0003143808.tif 000002
【実用新案登録請求の範囲】
【請求項１】
、
第一プレキャスト耐力壁と、
第二プレキャスト耐力壁を含み、
前記第一プレキャスト耐力壁の第一側端面は耐力壁内から外に突き出した第一コ字形構造鉄筋を含み、前記第一プレキャスト耐力壁に対応する前記第二プレキャスト耐力壁の第二側端面は、耐力壁内から外に突き出した第二コ字形構造鉄筋を含み、前記第一コ字形構造鉄筋と前記第二コ字形構造鉄筋は互い違いに配列され、前記第一コ字形構造鉄筋と第二コ字形構造鉄筋は、上横向き鉄筋と下横向き鉄筋、及び横向き鉄筋を連接する縦向き鉄筋で構成され、前記上及び前記下横向き鉄筋は、壁面方向に沿って上下に並列して分布することを特徴とする、プレキャスト耐力壁の連接構造。
【請求項２】
、
前記上横向き鉄筋、前記下横向き鉄筋と前記縦向き鉄筋は、異形鉄筋、圧痕鉄筋、丸形鉄筋、或いは上述の鉄筋を混ぜ合わせた鉄筋で構成されることを特徴とする請求項１に記載のプレキャスト耐力壁の連接構造。
【請求項３】
、
前記第一コ字形構造鉄筋及び前記第二コ字形構造鉄筋と、前記第一側端面及び前記第二側端面との壁面はそれぞれ斜角を有し、前記斜角の範囲は８７から８０度であることを特徴とする請求項１に記載のプレキャスト耐力壁の連接構造。
【考案の詳細な説明】
【技術分野】
【０００１】
本考案は、新型の鉄筋構造の配列によって更なる硬度を有する耐力壁構造を形成する、プレキャスト耐力壁の連接構造に関する。
【背景技術】
【０００２】
図１の従来の技術に示すように、伝統的な耐力壁の連接構造は、第一耐力壁２００と第二耐力壁３００を含む。第一耐力壁２００と第二耐力壁３００の連接端には鉄筋構造４００を有していて、直接突き出ていて互い違いに配列されている。この種の鉄筋構造４００は、余分な鉄筋を利用して、縛ったり溶接したりして固定するため、多くの余分な鉄筋を使用しなければならず、コストに関し市場競争で不利となってしまう。
【０００３】
その他にも、伝統的に、通常は余分な鉄筋を使用して第一耐力壁２００と第二耐力壁３００の間を連接・固定し、セメントでクラウティングすることで、第一耐力壁２００と第二耐力壁３００に全面耐力壁を形成させる。余分な鉄筋は第一耐力壁２００と第二耐力壁３００を固定するものの、実務上、この種の固定方式は耐力壁の横向きの応力への抵抗を高める効果はなく、建設構造が地震のような強大な応力に直面したときに、建築構造における耐力壁の最も脆弱な場所になるのはこの連接端であり、応力を受け止めることができず、構造上回復不能な損害が生じてしまうことになる。
【０００４】
さらには、従来の鉄筋構造４００は、全体の構造がばらばらすぎるので、余分な鉄筋で固定するのも容易ではなく、構造がもし複雑である場合、鉄筋のコストが増加することになる。同時に、鉄筋構造４００の全体の構造が、もしばらばらすぎた場合、固定の相互作用によって硬度を向上するのは難しい。したがって、プレキャスト耐力壁における連接構造の相互作用の面積をいかに増やし、プレキャスト耐力壁の連接構造間の硬度をどう高めるかが、建築エンジニアがいつも頭を悩ます問題となっている。
【０００５】
本考案者は、上述の欠点を改善及び解決するために、度重なる研究と学術理論の運用の配合により、上述の欠点を改善するのに合理的で有効な設計である本考案を提出する。
【考案の開示】
【考案が解決しようとする課題】
【０００６】
本考案は、新型の鉄鋼構造によって第一耐力壁と第二耐力壁の間の相互作用を向上することができる、プレキャスト耐力壁の連接構造を提供することを主な目的とする。
【０００７】
新しい鉄筋構造により、鉄筋のコストを増加させることなく耐力壁における横向き応力に対抗する硬度を向上させることができる、プレキャスト耐力壁の連接構造を提供することをもう一つの目的とする。
【０００８】
プレキャスト耐力壁の連接端の結合強度を向上させ、構造上回復不能な損害が生じるのを防ぐことができる、プレキャスト耐力壁の連接構造を提供することをもう一つの目的とする。
【課題を解決するための手段】
【０００９】
第一プレキャスト耐力壁と、
第二プレキャスト耐力壁を含み、
前記第一プレキャスト耐力壁の第一側端面は耐力壁内から外に突き出した第一コ字形構造鉄筋を含み、前記第一プレキャスト耐力壁に対応する前記第二プレキャスト耐力壁の第二側端面は、耐力壁内から外に突き出した第二コ字形構造鉄筋を含み、前記第一コ字形構造鉄筋と前記第二コ字形構造鉄筋は互い違いに配列され、前記第一コ字形構造鉄筋と第二コ字形構造鉄筋は、上横向き鉄筋と下横向き鉄筋、及び横向き鉄筋を連接する縦向き鉄筋で構成され、前記上及び前記下横向き鉄筋は、壁面方向に沿って上下に並列して分布することを特徴とする、プレキャスト耐力壁の連接構造。
【考案の効果】
【００１０】
このプレキャスト耐力壁の連接構造によれば、新型の鉄鋼構造によって第一耐力壁と第二耐力壁の間の相互作用を向上することができ、また、鉄筋のコストを増加させることなく耐力壁における横向き応力に対抗する硬度を向上させることができ、さらには、プレキャスト耐力壁の連接端の結合強度を向上させ、構造上回復不能な損害が生じるのを防ぐことができる。
【考案を実施するための最良の形態】
【００１１】
以下、添付図面を参照して本考案の実施の形態を詳細に説明する。
【実施例１】
【００１２】
図２に示すように、本考案に係るプレキャスト耐力壁の連接構造１００は、第一耐力壁２００及び第二耐力壁３００を含む。第一耐力壁２００の第一側端面２１０は、耐力壁内から外に突き出した第一コ字形構造鉄筋４１０を含む。第一耐力壁２００に対応する第二耐力壁３００の第二側端面３１０は、耐力壁内から外に突き出した第二コ字形構造鉄筋４３０を含む。第一コ字形構造鉄筋４１０と第二コ字形構造鉄筋４３０は互い違いに配列されるが、相対して配列してもよく、必ずしも互い違いにしなければならないわけではない。互い違いに配列することで連接構造の硬度を高めることができるが、相対配列は余分な鉄筋によって固定するのが容易であるので、相対して配列することで実際の施工における利便性を高めることができる。また、その固定方式は、螺合、溶接、縛り或いは、その他同様の効果を提供できる方式およびそれらを混ぜ合わせたものを含む。また、第一コ字形構造鉄筋４１０と第二コ字形構造鉄筋４３０は、上横向きの鉄筋４７０と下横向きの鉄筋４９０、及び横向き鉄筋を連接する縦向き鉄筋４８０から構成される。上横向き鉄筋４７０と下横向き鉄筋４９０は壁面方向に沿って、上下に並列して分布する。第一コ字形構造鉄筋４１０と第二コ字形構造鉄筋４３０は、平行の互い違い配列以外にも、垂直の互い違い配列でもよく、第一コ字形構造鉄筋４１０が形成する平面と第二コ字形構造鉄筋４３０が形成する平面が垂直になることで、横向きの応力に抵抗する強度を高めることができる。好ましい実施例においては、第一コ字形構造鉄筋４１０と第二コ字形構造鉄筋４３０が形成する平面は、壁面に平行になっているが、すべてが壁面に平行になっているわけではない。前記上横向き鉄筋４７０と下横向き鉄筋４９０及び縦向き鉄筋４８０は一体形成され、単一の鉄筋が折れ曲がってコ字形となることで、水平方向の相互作用面積が拡大・増加し、建築強度を向上させることができる。
【００１３】
第一コ字形構造鉄筋４１０と第二コ字形構造鉄筋４３０の上横向き鉄筋４７０、下横向き鉄筋４９０、及び縦向き鉄筋４８０は、異形鉄筋、圧痕鉄筋、丸形鉄筋、或いは上述の鉄筋を混ぜ合わせた鉄筋で構成される。それぞれに異なる鉄筋を利用して、単一のコ字形構造鉄筋を組むこともできる。第一コ字形構造鉄筋４１０と第二コ字形構造鉄筋４３０の鉄筋号数、種類あるいはサイズは同じである。そのほかにも、前記鉄筋号数、種類あるいはサイズを変えて相互に組み合わせることで、異なる設計需要と構造強度に対応することができる。
【００１４】
図２ｂに示すように、第一耐力壁２００と第二耐力壁３００における上横向き鉄筋４７０と下横向き鉄筋４９０は、壁面の法線方向に沿った投影が相互に重なり、縦向き鉄筋４８０と矩形構造を形成する。この矩形構造は、すばやく構造と連接し余分鉄筋を利用して固定することで、前記第一コ字形構造鉄筋４１０と前記第二コ字形構造鉄筋４３０は、壁面の法線方向に沿った投影が相互に重なり、縦向き鉄筋４８０と正方形或いは互い違いの矩形を形成する。また、第一耐力壁２００と第二耐力壁３００の縦向き鉄筋４８０はお互い平行であるが、絶対平行でなければならないわけではない。
【００１５】
図２ｃに示すように、前記第一コ字形構造鉄筋４１０と第二コ字形構造鉄筋４３０は、相互に平行で互い違いに並列されている。異なる実施例において、第一コ字形構造鉄筋４１０と第二コ字形構造鉄筋４３０は相互に交差してX型を形成することもできる。また、第一コ字形構造鉄筋４１０及び第二コ字形構造鉄筋４３０と、第一側端面２１０及び第二側端面３１０との壁面はそれぞれ斜角を有し、斜角の範囲は８７から８０度であり、両端壁面は垂直になることもでき、第一コ字形構造鉄筋４１０と第二コ字形構造鉄筋４３０の水平距離は１０から５０センチであり、水平距離は異なる設計要求によって調整することができる。
【図面の簡単な説明】
【００１６】
【図１】従来の技術の概略図である。
【図２ａ】本考案におけるプレキャスト耐力壁の連接構造の立体図である。
【図２ｂ】本考案におけるプレキャスト耐力壁の連接構造を横から見た図である。
【図２ｃ】本考案におけるプレキャスト耐力壁の連接構造の俯瞰図である。
【符号の説明】
【００１７】
１００    プレキャスト耐力壁の連接構造
２００    第一プレキャスト耐力壁
２１０    第一側端面
３００    第二プレキャスト耐力壁
３１０    第二側端面
４１０    第一コ字形構造鉄筋
４３０    第二コ字形構造鉄筋
４７０    上横向き鉄筋
４８０    縦向き鉄筋
４９０    下横向き鉄筋
【図１】
0003143808.tif 000003
【図２ａ】
0003143808.tif 000004
【図２ｂ】
0003143808.tif 000005
【図２ｃ】
0003143808.tif 000006